【手続補正書】
【提出日】平成18年11月22日(2006.11.22)
【手続補正１】
【補正対象書類名】明細書
【補正対象項目名】００４１
【補正方法】変更
【補正の内容】
【００４１】
密度を適合化させた色素含有マイクロ粒子は同時係属米国特許出願である２００２年１２月３１日に出願された米国出願第１０／３３５，２１０号（国際公開第０３／５８３３５号に対応）、同じく２００２年１２月３１日に出願された米国出願第１０／３３５，０５１号（国際公開第０３／５７３６０号に対応）、２００３年７月３０日に出願された米国出願第１０／６３２，１７１号、および２００３年２月１０日に出願された米国出願第１０／３６４，２７０号（国際公開第０３／６９４０３号に対応）に記載される方法によって製造できる。これら全ての内容は参照することによりその全体が本明細書に組み込まれる。
【手続補正２】
【補正対象書類名】明細書
【補正対象項目名】００４３
【補正方法】変更
【補正の内容】
【００４３】
ＩＩＩ．マイクロカップの封止
マイクロカップに基づくセルは、国際公開第０１／６７１７０号および同時係属米国出願である２００１年６月４日に出願された米国出願第０９／８７４，３９１号（国際公開第０２／９８９７７号に対応）、２００３年７月１０日に出願された米国出願第１０／６１８，２５７号、２００３年９月１８日に出願された米国出願第１０／６６５，８９８号、２００３年８月２９日に出願された米国出願第１０／６５１，５４０号に記載されるようにして、電気泳動流体を充填し、そして封止することができる。これら全ての内容は参照することにより本明細書にその全体が組み込まれる。マイクロカップのシーリング（または封止）は多くの方法により実施できる。例えば、充填したマイクロカップに、溶媒および封止材料を含む封止組成物をオーバーコートすることによって実施でき、この封止材料は熱可塑性エラストマー、ポリウレタン、多価アクリレートまたはメタクリレート、シアノアクリレート、多価ビニル（ビニルベンゼン、ビニルシラン、ビニルエーテルを含む）、多価エポキシド、多価イソシアネート、多価アリル、および架橋可能な官能基を含むオリゴマーまたはポリマーなどからなる群より選択される。ディスプレイの物理機械的および光学的特性を改善するために添加剤、例えばポリマー性バインダーまたはシックナー（または増粘剤）、光開始剤、触媒、フィラー、着色剤または界面活性剤などを封止組成物に添加してよい。封止組成物は電気泳動流体と本質的に非適合性（または非相溶性）であり、電気泳動流体より小さい比重を有する。溶媒蒸発の際、封止組成物は充填したマイクロカップの上部にこれに合致する（conform）シームレスな封止を形成する。封止層は熱、放射線、電子（ｅ）ビーム、湿気、界面架橋または他の硬化法によって更に硬化させてよい。界面重合およびその後のＵＶ硬化がシーリング方法に非常に有利である。電気泳動層とオーバーコートとの間の混合は、界面重合によって界面に薄いバリヤー層が形成されることによって著しく抑制される。その後、後硬化工程（好ましくはＵＶ照射による）によってシーリングが完了する。混合の程度を更に小さくするため、オーバーコートの比重が電気泳動流体の比重より相当小さいことが非常に望ましい。揮発性有機溶媒を使用してコーティングの粘度および厚さを調節することができる。揮発性溶媒をオーバーコートに使用する場合、揮発性溶媒は誘電性溶媒と非混和性であるのが好ましい。使用する染料が封止組成物中で少なくとも部分的に溶解する場合、このトゥーパスオーバーコートプロセスが特に好都合である。
【手続補正３】
【補正対象書類名】明細書
【補正対象項目名】００４６
【補正方法】変更
【補正の内容】
【００４６】
この２つの封止プロセスのいずれにおいても、ポリマー封止層は電気泳動流体の上面と接触する。封止層は電気泳動流体を各セル内に封入し、仕切壁の表面に封止的（または密封的）に付着する。最後に、封止されたマイクロカップは第２の導体フィルム（１０）（これは場合により接着剤層（１４）で予めコートされる）がラミネートされる。
【手続補正４】
【補正対象書類名】明細書
【補正対象項目名】００５３
【補正方法】変更
【補正の内容】
【００５３】
図３ｂは二層電気泳動ディスプレイを製造するもう１つの方法であって、（ｉ）ディスプレイセル層（３２）を導体フィルム（３５）上に、例えば第ＩＶ節にて工程１〜４で記載した手順により作製し、（ｉｉ）別のディスプレイセル層（３１）をリリース基板（または基材）（３７）上に（ｉ）と同様の手順により作製し、（ｉｉｉ）リリース基板（３７）上のディスプレイセル層（３１）を層（３２）の上へ、場合により接着剤（図示せず）を用いてラミネートし、（ｉｖ）リリース基板を除去し、および（ｖ）得られた複合体フィルムを導体フィルム（３４）の上へ、場合により接着剤（図示せず）を用いてラミネートすることによる方法を示す。工程（ｉｉ）、（ｉｉｉ）および（ｉｖ）を繰り返して、ディスプレイセル層を３つ以上有する電気泳動ディスプレイを製造することができる。
【手続補正５】
【補正対象書類名】明細書
【補正対象項目名】００５８
【補正方法】変更
【補正の内容】
【００５８】
色素粒子または着色剤粒子は磁性体であってもよい。１つの態様においては、二層電磁気泳動ディスプレイは、無色透明の溶媒または溶媒混合物中で分散した黒色の磁性粒子および白色の非磁性粒子の混合物を含む電磁気泳動流体が充填されたディスプレイセルを含む底部層を有していてよい。上部層は、赤色、緑色および青色の溶媒中でそれぞれ分散した白色の粒子を含む電気泳動流体が充填された赤色、緑色および青色のセルを含んでいてよい。あるいは、上部層は、無色透明の溶媒または溶媒混合物中で分散した白色および黒色の粒子の混合物を含む電気泳動流体が充填されたディスプレイセルを含んでいてよい。
【手続補正６】
【補正対象書類名】明細書
【補正対象項目名】００５９
【補正方法】変更
【補正の内容】
【００５９】
電磁気泳動ディスプレイ層についての詳細は係属中の出願である２００３年３月２０日に出願された米国出願第１０／３９４，４８８号および２００３年４月２２日に出願された米国出願第１０／４２１，２１７号に開示され、これら双方の内容は参照することによりその全体が本明細書に組み込まれる。
【手続補正７】
【補正対象書類名】明細書
【補正対象項目名】００６５
【補正方法】変更
【補正の内容】
【００６５】
準備２
ＴｉＯ２含有マイクロカプセルの調製
９．０５ｇのデスモデュア（Desmodur、登録商標）Ｎ３４００脂肪族ポリイソシアネート（バイエル社（Bayer AG）製）および０．４９ｇのトリエタノールアミン（９９％、ダウ製）を３．７９ｇのＭＥＫに溶解させた。得られた溶液に、１３ｇのＴｉＯ２Ｒ７０６（デュポン製）を添加し、ローター−ステーターホモジナイザー（アイケーエー・ウルトラツーラックス（IKA ULTRA-TURRAX）Ｔ２５、アイケーエー・ワークス（IKA WORKS）製）により周囲温度にて２分間均質化した。１．６７ｇの１，５−ペンタンジオール（バスフ製）、１．３５ｇのポリプロピレンオキサイド（分子量＝７２５、アルドリッチ製）、２．４７ｇのＭＥＫおよび０．３２ｇのＭＥＫ中２％ジブチルスズジラウレート（アルドリッチ製）溶液を含む溶液を添加し、更に２分間均質化した。最終工程にて、４０．０ｇのＨＴ−２００（ソルベイ・ソレキシス）中の０．９ｇのＲｆ−アミン４９００（準備１にて準備したもの）を添加して２分間均質化し、その後、３３．０ｇのＨＴ−２００中の追加の０．９ｇのＲｆ−アミン４９００を添加して２分間均質化した。低粘度のマイクロカプセル分散物が得られた。
【手続補正８】
【補正対象書類名】明細書
【補正対象項目名】００７０
【補正方法】変更
【補正の内容】
【００７０】
準備３Ｂ
マイクロカップの作製
【表１】
2006505013.tif 000001
【手続補正９】
【補正対象書類名】明細書
【補正対象項目名】００７６
【補正方法】変更
【補正の内容】
【００７６】
比較実施例１
単層マイクロカップＥＰＤ
準備３Ｃに従って作製することにより得られた単層マイクロカップＥＰＤに、その後、ディスプレイの封止側（非表示側）にある導体フィルムの外側表面上にて黒色コーティングの薄層をコートした。封止層と反対側にある導体フィルムは表示側であり、これを通じて全ての電気光学性能が測定される。様々な標準化電界強度（normalized field strength）におけるコントラスト比およびＤｍｉｎを含む試験結果を表２に示した。
【手続補正１０】
【補正対象書類名】明細書
【補正対象項目名】００７７
【補正方法】変更
【補正の内容】
【００７７】
実施例２
スタガ型二層マイクロカップＥＰＤ
６．０重量％（乾燥重量）のＴｉＯ２含有マイクロカプセル（準備２に従って調製したもの）、１．０重量％のＣｕＰｃ−Ｃ８Ｆ１７および０．５重量％（ＴｉＯ２含有マイクロ粒子の総乾燥重量に基づく）のＲｆ−アミン２０００（準備１による）をＨＴ２００中に含む電気泳動流体を、準備３Ｂにて作製したマイクロカップアレイ（下方の層）に充填し、そして封止した。封止したマイクロカップ層を、比較実施例１にて作製した第２の封止したマイクロカップ層（上方の層）にラミネートして、上方のマイクロカップ層の非アクティブな仕切領域が下方の層のアクティブなマイクロカップ領域の位置に対してスタガ型で配置されているスタガ型二層ＥＰＤフィルムを形成した。得られた二層ＥＰＤフィルムを比較実施例１と同様にして評価した。上方の層側から測定した様々な標準化電界強度におけるコントラスト比およびＤｍｉｎも表２にまとめて示す。
【手続補正１１】
【補正対象書類名】明細書
【補正対象項目名】００７８
【補正方法】変更
【補正の内容】
【００７８】
実施例３
スタガ型二層マイクロカップＥＰＤ
上方のマイクロカップ層に９．７重量％（乾燥重量）のＴｉＯ２含有マイクロ粒子（準備２による）、１．０重量％のＣｕＰｃ−Ｃ８Ｆ１７および０．５重量％（ＴｉＯ２含有マイクロ粒子の総乾燥重量に基づく）のＲｆ−アミン２０００をＨＴ２００中に含む電気泳動流体を充填し；また、下方のマイクロカップ層にＨＴ２００中の９．７重量％のＴｉＯ２含有マイクロ粒子、１．５重量％のＣｕＰｃ−Ｃ８Ｆ１７および０．５重量％（ＴｉＯ２含有マイクロ粒子の総乾燥重量に基づく）のＲｆ−アミン２０００を充填したこと以外は、実施例２と同様の手順に従った。様々な標準化電界強度におけるコントラスト比およびＤｍｉｎを表２にまとめて示す。コントラスト比およびＤｍｉｎは下方の層における染料および粒子濃度を増加させることによって更に改善されることが示される。
【手続補正１２】
【補正対象書類名】明細書
【補正対象項目名】００７９
【補正方法】変更
【補正の内容】
【００７９】
実施例４
スタガ型二層マイクロカップＥＰＤ
上方のマイクロカップ層の電気泳動流体は９．７重量％のＴｉＯ２含有マイクロ粒子（準備２による）、０．７重量％のＣｕＰｃ−Ｃ８Ｆ１７および０．５重量％（ＴｉＯ２含有マイクロ粒子の総乾燥重量に基づく）のＲｆ−アミン２０００をＨＴ２００中に含むものとし；また、下方のマイクロカップ層は９．７重量％のＴｉＯ２含有マイクロ粒子、１．５重量％のＣｕＰｃ−Ｃ８Ｆ１７および０．５重量％（ＴｉＯ２含有マイクロ粒子の総乾燥重量に基づく）のＲｆ−アミン２０００をＨＴ２００中に含むものとしたこと以外は、実施例２と同様の手順に従った。様々な標準化電界強度におけるコントラスト比およびＤｍｉｎを表２にまとめて示す。
【手続補正１３】
【補正対象書類名】明細書
【補正対象項目名】００８２
【補正方法】変更
【補正の内容】
【００８２】
本発明をその特定の態様を参照しつつ説明して来たが、本発明の真の概念および範囲を逸脱することなく種々の変更が成され得、また均等物で置換され得ることが当業者に理解されるべきである。加えて、特定の状況、材料、組成物、プロセス、処理工程（１つまたはそれ以上）に適用するため、本発明の目的、概念および範囲に対して多くの改変がなされ得る。そのような全ての改変は添付の特許請求の範囲に属することを意図するものである。
本願発明は以下の態様を含む。
（態様１）
電気泳動流体が充填されたディスプレイセルの２つ以上の層を含む、電気泳動ディスプレイ。
（態様２）
前記充填されたディスプレイセルはポリマー封止層で封止されている、態様１に記載のディスプレイ。
（態様３）
前記ディスプレイセルは仕切壁で隔てられている、態様２に記載のディスプレイ。
（態様４）
前記ポリマー封止層は電気泳動流体を各セル内に封入し、および該セルの仕切壁の表面に封止的に付着する、態様３に記載のディスプレイ。
（態様５）
前記セルは部分的に充填されている、態様４に記載のディスプレイ。
（態様６）
前記ポリマー封止層は電気泳動流体の上面と接触している、態様２に記載のディスプレイ。
（態様７）
前記ディスプレイセルは仕切型ディスプレイセルである、態様１に記載のディスプレイ。
（態様８）
前記ディスプレイセルはマイクログルーブまたはマイクロチャンネル型ディスプレイセルである、態様１に記載のディスプレイ。
（態様９）
前記ディスプレイセルは約１０〜約２００μｍの範囲にあるセル寸法を有するマイクロカプセルである、態様１に記載のディスプレイ。
（態様１０）
前記ディスプレイセルは約３０〜約１２０μｍの範囲にあるセル寸法を有するマイクロカプセルである、態様９に記載のディスプレイ。
（態様１１）
ディスプレイセルの２つ以上の層は２つの導体フィルム間に挟持され、および２つの導体フィルム間の最小距離は約１５〜約２００μｍの範囲にある、態様１に記載のディスプレイ。
（態様１２）
ディスプレイセルの２つ以上の層は２つの導体フィルム間に挟持され、および２つの導体フィルム間の最小距離は約２０〜約５０μｍの範囲にある、態様１１に記載のディスプレイ。
（態様１３）
ディスプレイセルの各層は約１０〜約１００μｍの範囲にある厚さを有する、態様１に記載のディスプレイ。
（態様１４）
ディスプレイセルの各層は約１２〜約３０μｍの範囲にある厚さを有する、態様１３に記載のディスプレイ。
（態様１５）
前記ディスプレイセルは、異なる色、光学密度、スイッチング速度または磁気的性質を有する電気泳動流体が充填されている、態様１に記載のディスプレイ。
（態様１６）
前記層の１つは、別の層のディスプレイセルと異なる形状、寸法または全面積に対する開口部の比を有するディスプレイセルを含む、態様１に記載のディスプレイ。
（態様１７）
前記セルは非アクティブな仕切領域により隔てられ、およびポリマー封止層により封止的に封入される、態様１に記載のディスプレイ。
（態様１８）
ある層の前記非アクティブな仕切領域は、別の層のアクティブなセル領域の位置に対してスタガ型で配置されている、態様１７に記載のディスプレイ。
（態様１９）
ディスプレイセルの１つの上部層と、ディスプレイセルの１つの底部層とを含む、態様１８に記載のディスプレイ。
（態様２０）
黒色の溶媒または溶媒混合物中で分散した白色の色素粒子または色素含有マイクロ粒子を含む電気泳動流体が充填されたディスプレイセルを含む、態様１９に記載のディスプレイ。
（態様２１）
表示側にある上部層は、赤色、緑色または青色の溶媒または溶媒混合物中でそれぞれ分散した白色の色素粒子または色素含有マイクロ粒子を含む電気泳動ディスプレイ流体が充填された赤色、緑色または青色のセルを含む、態様１９に記載のディスプレイ。
（態様２２）
フルカラーまたはマルチカラー電気泳動ディスプレイであって、非表示側にある底部層は、黒色の溶媒または溶媒混合物中で分散した白色の色素粒子または色素含有マイクロ粒子を含む電気泳動流体が充填された黒色のセルを含む、態様１９に記載のディスプレイ。
（態様２３）
フルカラーまたはマルチカラー電気泳動ディスプレイであって、非表示側にある底部層は、赤色、緑色、青色および黒色の溶媒または溶媒混合物中でそれぞれ分散した白色の色素粒子または色素含有マイクロ粒子を含む電気泳動流体が充填された赤色、緑色、青色および黒色のセルを含み、ならびに上部層は、赤色、緑色および青色の溶媒または溶媒混合物中で分散した白色の色素粒子または色素含有マイクロ粒子を含む電気泳動流体が充填された赤色、緑色および青色のセルを含む、態様１９に記載のディスプレイ。
（態様２４）
２つの層の着色されたセルおよび非アクティブな仕切領域は、上部層の赤色、緑色、青色および仕切領域が底部層の赤色、緑色、青色および黒色のセルに対してそれぞれ位置決めされたスタガ型で配置されている、態様２３に記載のディスプレイ。
（態様２５）
ディスプレイセルの１つの上部層と、無色透明の溶媒または溶媒混合物中で分散した黒色の磁性粒子および白色の非磁性粒子の混合物を含む電磁気泳動流体が充填されたディスプレイセルを含む１つの底部層とを含む、電磁気泳動ディスプレイ。
（態様２６）
上部層は、赤色、緑色および青色の溶媒中でそれぞれ分散した白色の粒子を含む電気泳動流体が充填された赤色、緑色および青色のセルを含む、態様２５に記載のディスプレイ。
（態様２７）
上部層は、無色透明の溶媒または溶媒混合物中で分散した白色および黒色の粒子の混合物を含む電気泳動流体が充填されたディスプレイセルを含む、態様２５に記載のディスプレイ。
（態様２８）
ディスプレイセルの２つ以上の層を有する電気泳動ディスプレイの製造方法であって、
ａ）導体フィルム側および封止側を各々が有する、ディスプレイセルの２つの層を個々に作製すること、および
ｂ）これら層の一方を他方の上に、場合により接着剤層によって、ラミネートすること
を含む、方法。
（態様２９）
工程（ａ）は、ディスプレイセルを導体フィルム上に形成し、該セルに電気泳動流体を充填し、および充填したセルをポリマー封止層で封止することによって実施する、態様２８に記載の方法。
（態様３０）
前記セルはマイクロエンボス加工により作製される、態様２９に記載の方法。
（態様３１）
前記セルはフォトリソグラフィーまたは予め穿孔された穴により作製される、態様２９に記載の方法。
（態様３２）
２つの層の前記セルは異なる方法によって作製される、態様２９に記載の方法。
（態様３３）
前記（異なる）方法は互いに無関係にマイクロエンボス加工、フォトリソグラフィーまたは予め穿孔された穴である、態様３２に記載の方法。
（態様３４）
工程（ｂ）は、ディスプレイセルの一方の層を他方の層の上に、２つの層の封止側が互いに面するようにラミネートすることによって実施する、態様２８に記載の方法。
（態様３５）
ディスプレイセルの２つ以上の層を有する電気泳動ディスプレイの製造方法であって、
ａ）ディスプレイセルの第１の層を形成し、該第１の層は導体フィルム側および封止側を有すること、
ｂ）ディスプレイセルの第２の層を転写リリース層上に形成し、該第２の層は転写リリース層側および封止側を有すること、
ｃ）該第２の層を該第１の層の上にラミネートし、および該転写リリース層を除去すること、
ｄ）場合により、ディスプレイセルの追加の層を転写リリース層上に別個に形成し、各層は転写リリース層側および封止側を有すること、
ｅ）該追加の層の各々を既に形成された層の積層体の上にラミネートし、および該転写リリース層を除去すること、および
ｆ）第２の導体フィルムを該積層体の上にラミネートすること
を含む、方法。
（態様３６）
工程（ａ）は、ディスプレイセルを導体フィルム上に形成し、該セルに電気泳動流体を充填し、および充填したセルをポリマー封止層で封止することによって実施する、態様３５に記載の方法。
（態様３７）
前記セルはマイクロエンボス加工により作製される、態様３６に記載の方法。
（態様３８）
前記セルはフォトリソグラフィーまたは予め穿孔された穴により作製される、態様３６に記載の方法。
（態様３９）
工程（ｂ）および（ｄ）は、ディスプレイセルを前記転写リリース層上に形成し、該セルに電気泳動流体を充填し、および充填したセルをポリマー封止層で封止することによって実施する、態様３５に記載の方法。
（態様４０）
前記セルはマイクロエンボス加工により作製される、態様３９に記載の方法。
（態様４１）
前記セルはフォトリソグラフィーまたは予め穿孔された穴により作製される、態様３９に記載の方法。
（態様４２）
ディスプレイセルの層は異なる方法によって作製される、態様３５に記載の方法。
（態様４３）
前記（異なる）方法は互いに無関係にマイクロエンボス加工、フォトリソグラフィーまたは予め穿孔された穴である、態様４２に記載の方法。
（態様４４）
工程（ｃ）は、前記第２の層を前記第１の層の上に、２つの層の封止側が互いに面するようにラミネートし、その後、前記転写リリース層を除去することによって実施する、態様３５に記載の方法。
（態様４５）
工程（ｅ）は、前記追加の層を既に形成された層の積層体の上に、追加の層の封止側が積層体に面するようにラミネートし、その後、前記転写リリース層を除去することによって実施する、態様３５に記載の方法。
（態様４６）
工程（ｆ）は接着剤層によって、または接着剤層なしでラミネートすることによって実施する、態様３５に記載の方法。